(57)【特許請求の範囲】
【請求項１】
丸編で編み立てられる筒状編地からなり、着用者の体表に密着して足関節を補助する足関節サポーターにおいて、
前記筒状編地の一端を周回して編成され、前記着用者の踝近傍の脛骨及び腓骨に対応する部分を周回し、当該着用者の下腿に当該筒状編地を締着させる第１のアンカー部と、
前記筒状編地の他端を周回して編成され、前記着用者の中足趾節関節近傍の第１中足骨、第２中足骨、第３中足骨、第４中足骨及び第５中足骨に対応する部分を周回し、当該着用者の足甲及び足裏に当該筒状編地を締着させる第２のアンカー部と、
前記第１のアンカー部に連結して、前記着用者の脛骨及び腓骨の外側面に対応する部分から、内踝及び外踝に対応する部分をそれぞれ通り、着用者の足裏に対応する部分で一連となる第１の支持部と、
前記着用者の踵に対応する踵部と、
前記筒状編地の背面側における前記第１のアンカー部と前記踵部との間から左右の前記第１の支持部にそれぞれ延在して連結する第２の支持部と、
前記第１の支持部に包囲され、着用者の足の土踏まずに対応する土踏まず部と、
を備え、
前記第１のアンカー部と前記第１の支持部と前記第２の支持部とが、それぞれ異なる編組織であり、
前記筒状編地の周方向における前記第１のアンカー部及び第２のアンカー部の伸縮抵抗が、前記筒状編地の周方向におけるベース生地部の伸縮抵抗より大きく、
前記筒状編地の長さ方向における前記第１の支持部の伸縮抵抗が、前記筒状編地の周方向における前記第１の支持部の伸縮抵抗より大きく、前記筒状編地の長さ方向における前記ベース生地部の伸縮抵抗より大きく、
前記筒状編地の長さ方向における前記第２の支持部の伸縮抵抗が、前記筒状編地の長さ方向における前記ベース生地部の伸縮抵抗より大きく、
前記筒状編地の長さ方向における前記土踏まず部の伸縮抵抗が、前記筒状編地の長さ方向における前記第１の支持部の伸縮抵抗より小さく、前記筒状編地の長さ方向における前記ベース生地部の伸縮抵抗より大きいことを特徴とする足関節サポーター。
【発明の詳細な説明】
【技術分野】
【０００１】
この発明は、着用者の体表に密着して足関節を補助する足関節サポーターに関し、特に、着用者の足関節の安定性を向上して、重い荷物を持っての作業時に着用者の動作を補助し、疲労を軽減することができるテーピング機能を具備する足関節サポーターに関するものである。
【背景技術】
【０００２】
従来の靴下は、靴下の足底部の趾球後方の位置から土踏まず部と踵部の境界を含む位置にかけてウェール方向に締付力を高めた第１締付部を設け、趾球後方の位置においてコース方向に締付力を高めた第２締付部を周設するとともに、足首部にコース方向に締付力を高めた第３締付部を周設し、さらに、土踏まず部と踵部の境界を含む位置から足甲部の付け根の位置にかけてコース方向に締付力を高めた第４締付部を周設した構成とする（例えば、特許文献１参照）。
【先行技術文献】
【特許文献】
【０００３】
【特許文献１】特開２００９−１５５７６３号公報
【発明の概要】
【発明が解決しようとする課題】
【０００４】
従来の靴下は、拇趾側の側面における編地と第五趾側の側面における編地とが非対称であり、特に、締付部による内踝を覆う領域の面積と外踝を覆う領域の面積とが異なるため、内踝及び外踝を両側から支持する強さが異なり、足首の左右の振れを抑制することができないという課題がある。
【０００５】
この発明は、上述のような課題を解決するためになされたもので、着用者の足関節の安定性を向上して、重い荷物を持っての作業時に着用者の動作を補助することができる足関節サポーターを提供することを目的とする。
【課題を解決するための手段】
【０００６】
この発明に係る足関節サポーターにおいては、筒状編地の一端を周回して編成され、着用者の踝近傍の脛骨及び腓骨に対応する部分を周回し、当該着用者の下腿に当該筒状編地を締着させる第１のアンカー部と、筒状編地の他端を周回して編成され、着用者の中足趾節関節近傍の第１中足骨、第２中足骨、第３中足骨、第４中足骨及び第５中足骨に対応する部分を周回し、当該着用者の足甲及び足裏に当該筒状編地を締着させる第２のアンカー部と、第１のアンカー部に連結して、着用者の脛骨及び腓骨の外側面に対応する部分から、内踝及び外踝に対応する部分をそれぞれ通り、着用者の足裏に対応する部分で一連となる第１の支持部と、着用者の踵に対応する踵部と、筒状編地の背面側における第１のアンカー部と踵部との間から左右の第１の支持部にそれぞれ延在して連結する第２の支持部と、第１の支持部に包囲され、着用者の足の土踏まずに対応する土踏まず部と、を備え、第１のアンカー部と第１の支持部と第２の支持部とがそれぞれ異なる編組織であり、筒状編地の周方向における第１のアンカー部及び第２のアンカー部の伸縮抵抗が、筒状編地の周方向におけるベース生地部の伸縮抵抗より大きく、筒状編地の長さ方向における第１の支持部の伸縮抵抗が、筒状編地の周方向における第１の支持部の伸縮抵抗より大きく、筒状編地の長さ方向におけるベース生地部の伸縮抵抗より大きく、筒状編地の長さ方向における第２の支持部の伸縮抵抗が、筒状編地の長さ方向におけるベース生地部の伸縮抵抗より大きく、筒状編地の長さ方向における土踏まず部の伸縮抵抗が、筒状編地の長さ方向における第１の支持部の伸縮抵抗より小さく、筒状編地の長さ方向におけるベース生地部の伸縮抵抗より大きいものである。
【発明の効果】
【０００７】
この発明に係る足関節サポーターにおいては、第１の支持部が第１のアンカー部から足裏まで延在して着用者の外踝及び内踝を足の両側面から挟持すると共に、第１のアンカー部及び第２のアンカー部が第１の支持部の位置ずれを防止することにより、第１の支持部
が、足首の左右の振れを抑制し、着用者の足関節の安定性を向上すると共に、足関節の内反捻挫及び外反捻挫を予防することができる。
【図面の簡単な説明】
【０００８】
【図１】（ａ）は第１の実施形態に係る足関節サポーターの概略構成を示す正面図であり、（ｂ）は図１（ａ）に示す足関節サポーターの背面図であり、（ｃ）は図１（ａ）に示す足関節サポーターの左側面図であり、（ｄ）は図１（ａ）に示す足関節サポーターの平面図であり、（ｅ）は図１（ａ）に示す足関節サポーターの底面図である。
【図２】（ａ）は図１に示す足関節サポーターの見方を変えた正面図であり、（ｂ）は図２（ａ）に示す足関節サポーターの左側面図であり、（ｃ）は図２（ａ）に示す足関節サポーターの右側面図であり、（ｄ）は図２（ａ）に示す足関節サポーターの平面図であり、（ｅ）は図２（ａ）に示す足関節サポーターの底面図である。
【図３】（ａ）は図１及び図２に示す足関節サポーターを右足に着用して踵を上げた状態を示す正面図であり、（ｂ）は図１及び図２に示す足関節サポーターを右足に着用して踵を上げた状態を示す背面図であり、（ｃ）は図１及び図２に示す足関節サポーターを右足に着用して踵を上げた状態を示す左側後方からみた斜視図である。
【図４】（ａ）は図１及び図２に示す足関節サポーターを右足に着用した状態を示す左側面図であり、（ｂ）は下腿及び足の骨並びに足の関節を説明するための説明図である。
【発明を実施するための形態】
【０００９】
（本発明の第１の実施形態）
図１乃至図４において、足関節サポーター１０は、靴下編機（例えば、株式会社村田製作所製の編み機種「ラムダアンフィニー（針数：１４４本、シリンダー径：３  １／２インチ、１インチ間の針の本数：３６ゲージ）」）により丸編で編み立てられる筒状編地からなり、着用者２０の体表に密着して着用者２０の足関節を補助するサポーターである。
【００１０】
足関節サポーター１０は、表糸、裏糸及びゴム糸を編糸とし、平編、リブ編、タック編、浮き編又はパイル編などで編成されてなる伸縮性のある編地であるベース生地部１に対して、異なる編み立てを施すことで、テーピング機能などの所望の機能性を具備する。なお、本実施形態に係るベース生地部１は、１×１の鹿の子編により編成してなる編地（以下、鹿の子編地と称す）である。
【００１１】
ここで、鹿の子編地とは、コース方向及びウェール方向に、平編とタック（あるコースで編み目を脱出させずに、その後のコースで複数ループを脱出させる組織）とが交互に、又は数コースごとに表れる編地である。このため、ベース生地部１には、平編とタックとを併用することで、編地の表面に隆起や透かし目を作ることができ、鹿の子のような網目柄が表れる。
【００１２】
第１のアンカー部２は、足関節サポーター１０の筒状編地の一端（上端１０ａ）を周回して編成され、着用者２０の踝２１近傍の脛骨２２及び腓骨２３に対応する部分を周回し、着用者２０の下腿に足関節サポーター１０を締着させる編地である。
【００１３】
また、第２のアンカー部３は、足関節サポーター１０の筒状編地の他端（下端１０ｂ）を周回して編成され、着用者２０の中足趾節関節２４近傍の中足骨２５（第１中足骨２５ａ、第２中足骨２５ｂ、第３中足骨２５ｃ、第４中足骨２５ｄ及び第５中足骨２５ｅ）に対応する部分を周回し、着用者２０の足甲及び足裏に足関節サポーター１０を締着させる
編地である。
【００１４】
この第１のアンカー部２及び第２のアンカー部３は、足関節サポーター１０の周方向Ｈにおける伸縮抵抗が、足関節サポーター１０の周方向Ｈにおけるベース生地部１の伸縮抵抗より大きく編成されている。すなわち、素材に伸長を与えない状態から一定の伸長を与えた場合の張力をＦとして、足関節サポーター１０の周方向Ｈにおけるベース生地部１の張力をＦH1とし、足関節サポーター１０の周方向Ｈにおける第１のアンカー部２の張力をＦH2とし、足関節サポーター１０の周方向Ｈにおける第２のアンカー部３の張力をＦH3とした場合に、第１のアンカー部２及び第２のアンカー部３がベース生地部１と比較して、足関節サポーター１０の周方向Ｈに強い締付力を持つような、ＦH2＝ＦH3＞ＦH1という大小関係を有する。
【００１５】
具体的な編地として、第１のアンカー部２は、１×１の鹿の子編とタック編とを併用した編地（以下、鹿の子編・タック編地と称す）を、足関節サポーター１０の上端１０ａで足関節サポーター１０の内側に折り返して身部１２（靴下の身部に相当）との境界で他の糸（例えば、ウーリーナイロン糸）で縫製した二重の鹿の子編・タック編地（以下、二重鹿の子編・タック編地と称す）にすることにより、ベース生地部１に対して、足関節サポーター１０の周方向Ｈにおける伸縮抵抗を大きくすることができる。また、第２のアンカー部３は、足関節サポーター１０の下端１０ｂで足関節サポーター１０の内側に鹿の子編・タック編地を折り返して足部１１（靴下の爪先を除く足部に相当）との境界で他の糸（例えば、ウーリーナイロン糸）で縫製した二重の鹿の子編・タック編地（二重鹿の子編・タック編地）にすることにより、ベース生地部１に対して、足関節サポーター１０の周方向Ｈにおける伸縮抵抗を大きくすることができる。
ここで、タック編地とは、生地を編成するときに、一時ある編み目を作らないで、次のコースを編むときに一緒に編み目を作る編地である。
【００１６】
このように、第１のアンカー部２は、着用者２０の下腿を周回して編成され、足関節サポーター１０の周方向Ｈにおける伸縮抵抗が、足関節サポーター１０の周方向Ｈにおけるベース生地部１の伸縮抵抗より大きいことにより、着用者２０の下腿に足関節サポーター１０を固定し、足関節の背屈時における足関節サポーター１０の上端１０ａのずり下がりを抑制することができる。また、第１のアンカー部２は、後述する第１の支持部４が連結され、この第１の支持部４のアンカーとしても機能する。
【００１７】
また、第２のアンカー部３は、着用者２０の足甲及び足裏を周回して編成され、足関節サポーター１０の周方向Ｈにおける伸縮抵抗が、足関節サポーター１０の周方向Ｈにおけるベース生地部１の伸縮抵抗より大きいことにより、着用者２０の足甲及び足裏に足関節サポーター１０を固定し、足関節の背屈時における足関節サポーター１０の下端１０ｂのずり上がりを抑制することができる。
【００１８】
特に、第１のアンカー部２及び第２のアンカー部３は、後述する第１の支持部４及び第２の支持部５の位置ずれを抑制し、第１の支持部４及び第２の支持部５による所望のテーピング機能を発揮させ、テーピング機能の安定性を図ることができる。
【００１９】
なお、第１のアンカー部２及び第２のアンカー部３による着用者２０の下腿並びに足甲及び足裏に対する締付力を強くしすぎると、下腿並びに足甲及び足裏における血流阻害を生じさせ、着用者２０に不快感を起こさせる。特に、この不快感は、足甲及び足裏に比べ、下腿において顕著である。
【００２０】
このため、本実施形態に係る足関節サポーター１０は、第１のアンカー部２及び第２のアンカー部３の度目を調整（例えば、第２のアンカー部３に対して第１のアンカー部２の
締付力を１０％程度小さく）することで、着用者２０に与える不快感を緩和している。すなわち、本実施形態に係る足関節サポーター１０は、足関節サポーター１０の周方向Ｈに適度な締付力を持つように、ＦH3＞ＦH2＞ＦH1という大小関係を有することが好ましい。
【００２１】
踵部６は、着用者２０の踵に対応するかかと成形部分であり、平編により編成してなる編地（以下、平編地と称す）である。
【００２２】
第１の支持部４は、第１のアンカー部２に連結して、着用者２０の脛骨２２及び腓骨２３の外側面に対応する部分から、内踝２１ａ及び外踝２１ｂに対応する部分をそれぞれ通り、着用者２０の足裏に対応する部分で一連となる編地である。
【００２３】
この第１の支持部４は、足関節サポーター１０の長さ方向Ｌにおける伸縮抵抗が、足関節サポーター１０の周方向Ｈにおける伸縮抵抗より大きく編成されている。すなわち、足関節サポーター１０の長さ方向Ｌにおける第１の支持部４の張力をＦL4とし、足関節サポーター１０の周方向Ｈにおける第１の支持部４の張力をＦH4とした場合に、足関節サポーター１０の長さ方向Ｌに強い締付力を持つような、ＦL4＞ＦH4という大小関係を有する。
【００２４】
また、第１の支持部４は、足関節サポーター１０の長さ方向Ｌにおける伸縮抵抗が、足関節サポーター１０の長さ方向Ｌにおけるベース生地部１の伸縮抵抗より大きく編成されている。すなわち、足関節サポーター１０の長さ方向Ｌにおけるベース生地部１の張力をＦL1とした場合に、第１の支持部４がベース生地部１と比較して、足関節サポーター１０の長さ方向Ｌに強い締付力を持つような、ＦL4＞ＦL1という大小関係を有する。
【００２５】
具体的には、第１の支持部４を、４×２のタック編により編成してなる編地（以下、４タック編地と称す）としている。
【００２６】
このように、第１の支持部４を４タック編地とすることにより、コース方向の伸びを無くし、鹿の子編地のベース生地部１に対して、足関節サポーター１０の長さ方向Ｌにおける伸縮抵抗を大きくすることができる。このため、第１の支持部４は、第１のアンカー部２から足裏まで延在して着用者２０の内踝２１ａ及び外踝２１ｂを両側面から支持し、足首の左右の振れを抑制して、着用者２０の歩行を補助し、足関節の内反捻挫及び外反捻挫を予防することができると共に、足関節の背屈を制限することなく、重い荷物を持っての作業時に着用者２０の動作を補助することができる。
【００２７】
第２の支持部５は、第１のアンカー部２の背面側における第１のアンカー部２及び踵部６間から左右の第１の支持部４にそれぞれ延在して連結する編地である。
【００２８】
この第２の支持部５は、足関節サポーター１０の長さ方向Ｌにおける伸縮抵抗が、足関節サポーター１０の周方向Ｈにおける伸縮抵抗より大きく編成されている。すなわち、足関節サポーター１０の長さ方向Ｌにおける第２の支持部５の張力をＦL5とし、足関節サポーター１０の周方向Ｈにおける第２の支持部５の張力をＦH5とした場合に、足関節サポーター１０の長さ方向Ｌに強い締付力を持つような、ＦL5＞ＦH5という大小関係を有する。
【００２９】
また、第２の支持部５は、足関節サポーター１０の長さ方向Ｌにおける伸縮抵抗が、足関節サポーター１０の長さ方向Ｌにおけるベース生地部１の伸縮抵抗より大きく編成されている。すなわち、第２の支持部５がベース生地部１と比較して、足関節サポーター１０の長さ方向Ｌに強い締付力を持つような、ＦL5＞ＦL1という大小関係を有する。
【００３０】
具体的には、第２の支持部５を、１×１のタック編により編成してなる編地（以下、１タック編地と称す）としている。
【００３１】
このように、第２の支持部５を１タック編地とすることにより、コース方向の伸びを無くし、鹿の子編地のベース生地部１に対して、足関節サポーター１０の長さ方向Ｌにおける伸縮抵抗を大きくすることができる。このため、第２の支持部５は、第１の支持部４に連結して第１の支持部４と一体となり、着用者２０の内踝２１ａ及び外踝２１ｂを両側面から支持し、足首の左右の振れを抑制すると共に、着用者２０の足裏（後述する土踏まず部８）まで延在する第１の支持部４を介して土踏まず部８を引き上げ、着用者２０の歩行を補助して疲労を軽減することができる。
【００３２】
なお、第２の支持部５は、比較的硬質の１タック編地であるため、踵部６に隣接する編地をベース生地部１とし、着用者２０のアキレス腱に対応する部分を伸縮性のあるベース生地部１とすることで、着用者２０のアキレス腱の動きを阻害することがない。
【００３３】
足関節サポーター１０の正面側における足部１１と身部１２との境界近傍で、足関節サポーター１０の周方向Ｈに延在する領域であり、足関節サポーター１０の屈曲部分（着用者２０の足首の正面側）におけるしわを逃し、足関節の背屈の動きを阻害しないように、ベース生地部１における編地の厚みに対して、厚みを薄くした編地である。
【００３４】
なお、図１乃至図４においては、３つの薄編部７を長さ方向Ｌに並設した場合を示しているが、足関節サポーター１０の屈曲部分におけるしわの発生防止や足関節の背屈を制限しないようにできるのであれば、この数に限られるものではない。
【００３５】
また、本実施形態に係る薄編部７は、通気性のよい編組織である２×１のメッシュ編で編成された編地（以下、メッシュ編地と称す）にすることにより、鹿の子編地のベース生地部１に対して、足関節サポーター１０の長さ方向Ｌにおける伸縮抵抗を小さくすることができる。このメッシュ編地とは、生地を編成するときに、一時ある編み目を作らないで、次のコースを編むときに一緒に編み目を作り、メッシュ形態の編みでよく伸びる編地である。
【００３６】
特に、薄編部７は、足関節サポーター１０の長さ方向Ｌにおける薄編部７の張力をＦL7とした場合に、薄編部７がベース生地部１と比較して、足関節サポーター１０の長さ方向Ｌに弱い締付力を持つような、ＦL1＞ＦL7という大小関係を有する。
【００３７】
土踏まず部８は、着用者２０の足の土踏まずに対応する部分であり、具体的には、３×１のゴム編（リブ編）と添え糸編とを併用した編地（以下、ゴム編・添え糸編地と称す）としている。
【００３８】
ここで、ゴム編地とは、たて方向に表目のウェールと裏目のウェールとが交互に並ぶ編み目で、本実施形態においては、３ウェール毎に表目と裏目とを配列した３×１の編地である。
【００３９】
また、ゴム編・添え糸編地では、ゴム編の地編糸である表糸を飛ばして（表糸の替わりに）他の編糸（例えば、ウーリーナイロン糸）を添えて給糸することで、足関節サポーター１０の長さ方向Ｌにおける土踏まず部８の伸縮を適度に抑えている。すなわち、ゴム編・添え糸編地では、足関節サポーター１０の長さ方向Ｌの伸縮抵抗が周方向Ｈの伸縮抵抗と比較して大きく編成されている。また、足関節サポーター１０の長さ方向Ｌにおける土踏まず部８の伸縮抵抗は、足関節サポーター１０の長さ方向Ｌにおけるベース生地部１の伸縮抵抗より大きく編成されている。また、ゴム編・添え糸編地では、土踏まず部８と他の領域（第１の支持部４）との境界において他の編糸をカットしている（カットボス）。
【００４０】
特に、土踏まず部８は、足関節サポーター１０の長さ方向Ｌにおける土踏まず部８の張力をＦL8とし、足関節サポーター１０の周方向Ｈにおける土踏まず部８の張力をＦH8とした場合に、足関節サポーター１０の長さ方向Ｌに強い締付力を持つような、ＦL8＞ＦH8という大小関係を有する。また、土踏まず部８は、ベース生地部１と比較して、足関節サポーター１０の長さ方向Ｌに強い締付力を持つような、ＦL8＞ＦL1という大小関係を有する。
【００４１】
この土踏まず部８は、着用者２０の土踏まずを横切るアーチの形成をサポートし、足底のクッション性を高め、重い荷物などを運ぶときに受ける荷重を分散させるスプリングとしての役割を果し、着用者２０の足に掛かる衝撃から保護することができる。
【００４２】
なお、本実施形態に係る足関節サポーター１０は、前述した各部位の編地により、足関節サポーター１０の長さ方向Ｌにおける土踏まず部８の伸縮抵抗が、足関節サポーター１０の長さ方向Ｌにおける第１の支持部４の伸縮抵抗より小さい。また、足関節サポーター１０の長さ方向Ｌにおける踵部６は、足関節サポーター１０の長さ方向Ｌにおけるベース生地部１の伸縮抵抗とほぼ等しい。
【００４３】
したがって、本実施形態に係る足関節サポーター１０は、足関節サポーター１０の長さ方向Ｌにおける張力Ｆにおいて、次式（１）に示す大小関係を満たすものである。ただし、次式（１）において、ＦL6は足関節サポーター１０の長さ方向Ｌにおける踵部６の張力である。
【００４４】
〔数１〕
ＦL4＞ＦL8＞ＦL1≒ＦL6＞ＦL7      ・・・（１）
また、足関節サポーター１０の周方向Ｈにおける第２の支持部５の伸縮抵抗は、足関節サポーター１０の周方向Ｈにおける第２のアンカー部３の伸縮抵抗とほぼ等しい。また、足関節サポーター１０の周方向Ｈにおける踵部６の伸縮抵抗は、足関節サポーター１０の周方向Ｈにおけるベース生地部１の伸縮抵抗とほぼ等しい。
【００４５】
したがって、本実施形態に係る足関節サポーター１０は、足関節サポーター１０の周方向Ｈにおける張力Ｆにおいて、次式（２）に示す大小関係を満たすものである。ただし、次式（２）において、ＦH5は足関節サポーター１０の周方向Ｈにおける第２の支持部５の張力であり、ＦH6は足関節サポーター１０の周方向Ｈにおける踵部６の張力である。
【００４６】
〔数２〕
ＦH5≒ＦH3＞ＦH2＞ＦH1≒ＦH6      ・・・（２）
なお、本実施形態においては、鹿の子編、タック編、メッシュ編及びゴム編に用いられる地編糸として、太さ７０デニールのウーリーナイロン糸であり、編み本数２本からなる表糸と、糸の番手が３０／７５であり、ポリウレタン弾性糸を軸に長繊維をカバーリングした加工糸（ＦＴＹ：Filament Twisted Yarn）である裏糸と、ポリウレタンの芯糸にポリエステルの巻き糸を巻きつけたカバーリング・ヤーン（例えば、オペロンテックス株式会社製「ＳＴ８７００」）であるゴム糸とを用いているが、この材質に限られるものではない。
【００４７】
また、本実施形態においては、平編に用いられる地編糸として、太さ７０デニールのウーリーナイロン糸であり、編み本数２本からなる表糸と、糸の番手が３０／７５であり、ポリウレタン弾性糸を軸に長繊維をカバーリングした加工糸（ＦＴＹ）である裏糸とを用いているが、この材質に限られるものではない。
【００４８】
例えば、表糸としては、綿、毛(カシミヤ、ラム、アンゴラなど)、絹若しくは麻などの
天然繊維、アクリルなどの化学繊維、又は吸汗、速乾若しくは体温調整機能を持つ素材などを、足関節サポーター１０のコスト又は着用者２０のニーズに合わせて選択することが好ましい。また、裏糸としては、エステル若しくはカバーリング・ヤーン（ＤＣＹ：double covered yarn）、又は抗菌、防臭若しくは消臭素材を、足関節サポーター１０のコスト又は着用者２０のニーズに合わせて選択することが好ましい。
また、ゴム編・添え糸編地（土踏まず部８）におけるウーリーナイロン糸（柄糸）は、糸の番手が１００／２である編糸を用いているが、この材質に限られるものではない。
【符号の説明】
【００４９】
１      ベース生地部
２      第１のアンカー部
３      第２のアンカー部
４      第１の支持部
５      第２の支持部
６      踵部
７      薄編部
８      部
１０    足関節サポーター
１０ａ  上端
１０ｂ  下端
１１    足部
１２    身部
２０    着用者
２１    踝
２１ａ  内踝
２１ｂ  外踝
２２    脛骨
２３    腓骨
２４    中足趾節関節
２５    中足骨
２５ａ  第１中足骨
２５ｂ  第２中足骨
２５ｃ  第３中足骨
２５ｄ  第４中足骨
２５ｅ  第５中足骨
Ｈ      周方向
Ｌ      方向
【図１】
0005320412.tif 000002
【図２】
0005320412.tif 000003
【図３】
0005320412.tif 000004
【図４】
0005320412.tif 000005